(57)【特許請求の範囲】
【請求項１】
ＲＦＩＤ用ＩＣとそれに接続されたアンテナから構成され、外部通信手段と非接触通信が可能なＲＦＩＤ部と、
顔画像を表示する表示装置と、
前記顔画像を含むデータが記憶される揮発性メモリ部と、
前記揮発性メモリ部に記憶される前記データの書き込み及び読み込みを制御すると共に、前記表示装置への前記顔画像の表示を制御するＣＰＵと、
前記ＣＰＵに電源を供給する電源部とがカード基板に設けられて構成され、
前記電源を切ることにより、前記揮発性メモリ部に記憶された前記データが消去されることを特徴とするＩＣカード。
【請求項２】
前記電源を切った際に、期限切れシグナルが表示される別の表示装置が前記カード基板にさらに設けられていることを特徴とする請求項１に記載のＩＣカード。
【請求項３】
前記ＣＰＵの制御によって、前記表示装置に表示される顔画像を時間経過につれて変化させるようにしたことを特徴とする請求項１に記載のＩＣカード。
【請求項４】
前記表示装置に表示される顔画像は、所定の時間間隔で、表示、非表示を繰り返すことを特徴とする請求項３に記載のＩＣカード。
【請求項５】
前記表示装置に表示される顔画像は、時間経過につれて人物以外の背景部の表示が変化することを特徴とする請求項３に記載のＩＣカード。
【請求項６】
前記ＣＰＵに接続されて使用期限が設定されるタイマ機能部と、前記使用期限に達したときに前記電源部からの電源を切断する電源スイッチ回路とをさらに備えており、
前記揮発性メモリ部に前記データが記憶されて前記ＩＣカードが発行された時点から所定時間が経過したときに、前記電源が自動的に切られることを特徴とする請求項１に記載のＩＣカード。
【請求項７】
文字画像を表示するための別の表示装置が前記カード基板にさらに設けられていることを特徴とする請求項１乃至６のいずれか一項に記載のＩＣカード。
【請求項８】
前記ＣＰＵと前記揮発性メモリ部とは１チップ化されて構成されていることを特徴とする請求項１乃至６のいずれか一項に記載のＩＣカード。
【請求項９】
前記表示装置は、反射型液晶表示装置、有機ＥＬディスプレイ又は電子ペーパーから構成されることを特徴とする請求項１乃至６のいずれか一項に記載のＩＣカード。
【請求項１０】
前記ＩＣカードの端部には、前記ＣＰＵに電気的に接続された外部接続電極が設けられており、前記揮発性メモリ部に前記データを記憶させる際に、前記外部接続電極を前記外部通信手段の端子に接触させて行うことを特徴とする請求項１乃至６のいずれか一項に記載のＩＣカード。
【請求項１１】
前記電源部は二次電池からなり、前記ＩＣカードの端部には前記二次電池に電気的に接続されてそれを充電するための充電用電極が設けられていることを特徴とする請求項１乃至６のいずれか一項に記載のＩＣカード。
【発明の詳細な説明】
【技術分野】
【０００１】
本発明はＩＣカードに係り、更に詳しくは、入館証などに適用でき、顔画像などをディスプレイ表示する機能を備えたＩＣカードに関する。
【背景技術】
【０００２】
従来、会社、学校、病院などでは、訪問者が入館許可者であることを証明するために訪問者に入館証を着用させることによってセキュリティ強化を図っている。近年では、窃盗品や拾得品が悪用されたり、偽造品が使われたりすることを防止するために、訪問者が入館許可者であることを簡単に照合できる顔写真入りの入館証が普及している。
【０００３】
これに関連する技術としては、特許文献１には、属性情報の変更に際しても再発行することなく更新可能にするために、ＩＣカードに書き換え可能なリライト表示部を設けることが記載されている。
【０００４】
また、特許文献２には、期限切れのＩＤカードが悪用されることを防ぐために、光エネルギーによる書き換えが可能で、かつ一定時間内の屋内照明からの受光によって消色状態に変化するフォトクロミック化合物からなるフルカラー画像記録層を設けたＩＣカードが記載されている。
【０００５】
また、特許文献３には、顔写真のすり替えを防止するために、ＩＣカードに顔画像データを表示させる液晶表示装置を設け、そのデータを書き換え可能なＥＥＰＲＯＭや書き換え不可能なＲＯＭに記憶させることが記載されている。
【特許文献１】特開２００１−３１２７１０号公報
【特許文献２】特開２００５−３１２０８号公報
【特許文献３】特開２００５−１００３８０号公報
【発明の開示】
【発明が解決しようとする課題】
【０００６】
近年では、窃盗品や拾得品のＩＣカードを悪用したり、顔写真を偽造して悪用したりする不正行為を防止することが強く求められている。
【０００７】
上記した特許文献２では、一定時間画像が受光することで画像が消色状態となるので期限切れのＩＤカードが悪用されることを防止できるものの、消色状態になる時間がある範囲で限定されるため、幅広い用途のＩＤカードに適用する場合には必ずしも十分とはいえない。
【０００８】
また、上記した特許文献３では、顔写真データを液晶表示することで顔写真のすり替えによる偽造は防止できるものの、ＩＣカードの液晶表示画面に顔写真を巧妙に貼り付けることで偽造される場合が想定される。また、特許文献３では、不揮発性メモリに顔画像データなどを記憶させるので、ＩＣカードが不正に外部に持ち出された際に、個人データが残っているため悪用されるおそれがある。
【０００９】
本発明は上記した問題点を鑑みて創作されたものであり、第三者によって悪用されることを防止できると共に、本物であるかどうか容易に確認できるＩＣカードを提供することを目的とする。
【課題を解決するための手段】
【００１０】
上記した課題を解決するため、本発明はＩＣカードに係り、ＲＦＩＤ用ＩＣとそれに接続されたアンテナから構成され、外部通信手段と非接触通信が可能なＲＦＩＤ部と、顔画像を表示する表示装置と、前記顔画像を含むデータが記憶される揮発性メモリ部と、前記揮発性メモリ部に記憶される前記データの書き込み及び読み込みを制御すると共に、前記表示装置への前記顔画像の表示を制御するＣＰＵと、前記ＣＰＵに電源を供給する電源部とがカード基板に設けられて構成され、前記電源を切ることにより、前記揮発性メモリ部に記憶された前記データが消去されることを特徴とする。
【００１１】
本発明のＩＤカードでは、外部通信手段（リーダ／ライタ）と非接触通信が可能なＲＦＩＤカードに顔画像などが表示される表示装置が備えられており、顔画像などの個人データは揮発性メモリ部に格納される。そして、ＣＰＵの制御によって揮発性メモリ部に記憶された顔画像などの個人データが表示装置から表示される。揮発性メモリ部に個人データを記憶させるようにしたので、電源を切るだけで個人データを極めて容易に消去することができ、第三者に不正使用されることを防止することができる。
【００１２】
本発明の一つの好適な態様では、電源を切った際に期限切れシグナルが表示される別の表示装置がさらに設けられており、電源を切ることにより個人データが消去されると共に、期限切れのＩＣカードであることを容易に確認することができる。
【００１３】
また、本発明の好適な態様では、ＣＰＵの制御によって、表示装置に表示される顔画像を時間経過につれて変化させるようにしている。例えば、所定の時間間隔で、表示、非表示を繰り返すようにしてもよいし、時間経過につれて人物以外の背景部の表示色が変化するようにしてもよい。
【００１４】
ＩＣカードにこのような機能をもたせることにより、例えばＩＣカードを会社の入館証に使用する場合、館内の第三者（社員など）はＩＣカードの顔画像が経時変化することを確認することによってＩＣカードが本物であることを容易に判定することができる。さらに、ＩＣカードの顔画像とカード着用者の顔を照合することにより、カード着用者が本人であることを容易に確認することができる。
【００１５】
従って、ＩＣカードの表示装置の画面に類似の顔写真を巧妙に貼って偽造された場合には、その顔写真は時間経過しても変化しないので、館内の第三者はそのＩＣカードが偽造品であることを容易に判定することができる。
【００１６】
また、本発明の好適な態様では、ＣＰＵに接続されて使用期限が設定されるタイマ機能部と、使用期限に達したときに電源を切断する電源スイッチ回路とを備えており、不揮発性メモリ部に個人データが記憶されてＩＣカードが発行されたときから所定時間が経過すると電源が自動的に切れるようになっている。
【００１７】
従って、ＩＣカードが外部に持ち出される場合であっても、所定時間が経過すると電源が切れて表示装置の顔画像などが非表示になると共に、揮発性メモリ部に記憶された個人データも自動的に消去される。これに加えて、外部でのＩＣカードへの再書き込みは困難を極めるので、第三者によってＩＣカードが不正使用されることを防止することができる。
【発明の効果】
【００１８】
以上説明したように、本発明のＩＣカードは、第三者によって悪用されることを防止できると共に、本物であるかどうかを容易に確認することができる。
【発明を実施するための最良の形態】
【００１９】
以下、本発明の実施の形態について、添付の図面を参照しながら説明する。
【００２０】
図１は本発明の実施形態のＩＣカードの表面側の構成を示す概略図、図２は同じくＩＣカードの裏面側に設けられたアンテナの様子を示す概略図、図３は同じくＩＣカードに使用されるＣＰＵユニットの構成を示す概略図である。
【００２１】
本発明の実施形態のＩＣカードは、リーダ／ライタ（外部通信手段）と非接触通信が可能なＲＦＩＤ(Radio Frequency Identification)カードに表示装置が設けられて基本構成される。図１に示すように、本実施形態のＩＣカード１では、カード基板１０に顔画像表示用の第１液晶表示装置１２と文字画像表示用の第２液晶表示装置１４が設けられている。
【００２２】
第１液晶表示装置１２の近傍のカード基板１０にはそれ駆動するための第１ドライバＩＣ１８ａが実装されており、第１ドライバＩＣ１８ａは第１液晶表示装置１２の走査線（ゲート線）及び信号線（ソース線）に配線５ａを介して接続されている。また同様に、第２液晶表示装置１４の近傍のカード基板１０にはそれを駆動するための第２ドライバＩＣ１８ｂが実装されており、第２ドライバＩＣ１８ｂは第２液晶表示装置１４の走査線及び信号線に配線５ｂを介して接続されている。さらに、カード基板１０の下側には、ＩＣカード１が使用期限に達したときに期限切れシグナルが表示される第３液晶表示装置１６が設けられている。第３液晶表示装置１６にも同様に第３ドライバＩＣ１８ｃが配線５ｃを介して接続されている。
【００２３】
第１〜第３液晶表示装置１２，１４，１６は、太陽光や蛍光灯などの光を反射させて画像を表示する、プラスチックフィルムを素子基板に用いた反射型液晶表示装置から構成され、アクティブマトリクス型であってもよいし、単純マトリクス型であってもよい。第３液晶表示装置１６はＩＣカード１の一部領域に目立つように色表示されればよいので、必ずしもマトリクス型を採用する必要はなく、一体型の電極によって構成してもよい。
【００２４】
なお、液晶表示装置１２，１４，１６の代わりに、自発光型の有機ＥＬディスプレイを使用してもよいし、あるいは、電子泳動方式、エレクトロクロミック方式、トナーディスプレイ方式、又はツイストボール方式などの表示方式を利用した電子ペーパーを使用してもよい。バックライトを使用しない薄型の表示装置であれば、上記した表示方式以外の方式を採用してもよい。
【００２５】
また、第１〜第３ドライバＩＣ１８ａ，１８ｂ，１８ｃの近傍のカード基板１０にはＣＰＵ（中央処理装置）ユニット２０が実装されており、ＣＰＵユニット２０は配線５ｄ，５ｅ，５ｆを介して第１〜第３ドライバＩＣ１８ａ，１８ｂ，１８ｃにそれぞれ接続されている。
【００２６】
また、第１〜第３液晶表示装置１２，１４，１６を駆動するための電源部２２がカード基板１０に設けられており、電源部２２からＣＰＵユニット２０に配線５ｇを介して電源が供給される。電源部２２は、充電可能な二次電池又は二重層コンデンサなどからなる。そして、ＣＰＵユニット２０から第１〜第３ドライバＩＣ１８ａ，１８ｂ，１８ｃに表示命令信号が送信され、第１〜第３ドライバＩＣ１８ａ，１８ｂ，１８ｃから第１〜第３液晶表示装置１２，１４，１６に表示信号が供給されて液晶画像がそれぞれ表示される。
【００２７】
なお、第１〜第３液晶表示装置１２，１４，１６の表示を制御するドライバＩＣは、共通のドライバＩＣとして一個又は２個にまとめて設置してもよい。
【００２８】
また、ＩＣカード１の本体外側に電源部２２をＯＮ、ＯＦＦさせる電源スイッチを設けてもよい。
【００２９】
さらに、カード基板１の端部にはメモリ部と通信（送受信）機能を備えたＲＦＩＤ用ＩＣ２４が実装されている。そして、図２に示すように、カード基板１０の裏面側にはループ状のアンテナ２６が設けられており、カード基板１０に形成されたスルーホール（不図示）を介してアンテナ２６がＲＦＩＤ用ＩＣ２４に接続されている。このようなアンテナ２６を備えたＩＣカード１をリーダ／ライタに近づけると、リーダ／ライタからの電波によって起電力が発生し、この電力を使ってＲＦＩＤ用ＩＣ２４が起動し、リーダ／ライタから送られてくるデータを無線で受信したり、自らのメモリ部に記憶されたデータを無線でリーダ／ライタに送信したりすることができる。
【００３０】
図３には図１のＣＰＵユニット２０の概略構成が示されている。図３に示すように、ＣＰＵユニット２０は、ＣＰＵ（演算制御部）２０ａ、不揮発性メモリ部２０ｂ、揮発性メモリ部２０ｃ、タイマ機能部２０ｄ及び電源スイッチ回路２０ｅを備えている。不揮発性メモリ部２０ｂ（ＥＰＲＯＭやフラッシュメモリなど）には各種のプログラムが記憶され、ＣＰＵ（演算制御部）２０ａによってそのプログラムが実行される。また、電源を切ると記憶が失われる特性の揮発性メモリ部２０ｃ（ＤＲＭＡ又はＳＲＡＭなど）にはカード着用者の顔画像などの個人データが記憶される。ＣＰＵ（演算制御部）２０ａが揮発性メモリ部２０ｃに記憶される個人データの書き込み及び読み込みを制御する。
【００３１】
さらに、タイマ機能部２０ｄはＣＰＵ（演算制御部）２０ａに接続されており、外部のリーダ／ライタからＣＰＵ（演算制御部）２０ａからの指示によってタイマ機能部２０ｄに使用期限が設定される。そして、揮発性メモリ部２０ｃに個人データが記憶されてＩＣカードが発行された時点からある一定時間が経過すると、タイマ機能部２０ｄから電源スイッチ回路２０ｅにスイッチＯＦＦ信号が供給され、電源スイッチ回路２０ｅの作用によって電源部２２からの電源が切断される。このように、ＩＣカードが使用期限に達したときに、電源が自動的に切断されて揮発性メモリ部２０ｃに記憶されたカード着用者の個人データが容易に消去されるようになっている。
【００３２】
なお、揮発性メモリ部２０Ｃ及び電源スイッチ回路２０ｅは、チップ状のＣＰＵユニット２０に内蔵させてもよいし、ＣＰＵユニット２０から独立して設けてもよい。つまり、揮発性メモリ部２０ｂ及び電源スイッチ回路２０ｅはＣＰＵ（演算制御部）２０ａに関係をもたせた状態でカード基板１０に配置されていればよい。あるいは、第１、第２ドライバＩＣ１８ａ，１８ｂに揮発性メモリ部２０ｂを内蔵させるようにしてもよい。
【００３３】
図１に戻って説明すると、ＣＰＵユニット２０にはＩＣカード１の下側端部に延在する外部接続配線６ａが接続されており、その先端部に外部接続電極３０が設けられている。そして、ＩＣカード１をデータ処理システムに接続されたリーダ／ライタに差し込んで、ＩＣカード１の外部接続電極３０をリーダ／ライタの端子に接触させる。これにより、データ処理システム内のカード着用者の個人データがリーダ／ライタを介してＩＣカード１のＣＰＵユニット２０の揮発性メモリ部２０ｃに送信されて記憶される。上記したタイマ機能部２０ｄへの使用期限（時間設定）の設定も同様にして入力される。
【００３４】
さらに、図１に示すように、電源部２２にはＩＣカード１の下側端部に延在する外部接続配線６ｂが設けられており、その先端部に充電用電極３２が設けられている。同様にＩＣカード１をリーダ／ライタに差し込むことにより、充電用電極３２を通して電源部２２を充電できるようになっている。
【００３５】
また、ＣＰＵユニット２０の不揮発性メモリ部２０ｂには、第１液晶表示装置１４の顔画像表示を経時変化させるプログラムが備えられており、所要のタイミングでこのプログラムがＣＰＵ（演算制御部）２０ａによって実行される。これにより、ＣＰＵ（演算制御部）２０ａから表示画像変更信号が第１ドライバＩＣ１８ａに送信されて第１液晶表示装置１４の顔画像を経時変化させることができる。例えば、一定時間ごとに、表示、非表示を繰り返すようにしてもよいし、人物以外の背景部の色や模様などが時間経過につれて変化するようにしてもよい。
【００３６】
このような機能をＩＣカード１にもたせることにより、第１液晶表示装置１２から表示される顔画像に類似した顔写真を第１液晶表示装置１２に貼り付けることによってＩＣカードが偽造されることを防止することができる。つまり、本物のＩＣカード１では、第１液晶表示装置１２から表示される顔画像が表示、非表示を繰り返したり、その背景が時間経過につれて変化したりするので、館内の第三者（社員など）がそのＩＣカードが本物であることを容易に判定することができる。従って、第１液晶表示装置１２の画面に類似の顔写真を巧妙に貼って偽造される場合は、その顔写真は時間経過しても変化しないので、館内の第三者はそのＩＣカードが偽造品であることを容易に判定することができる。
【００３７】
なお、第１液晶表示装置１２の顔画像を変化させる際に、ＩＣカード１にトリガ機能をもたせ、ＲＦＩＤ用ＩＣ２４に信号が入力されたとき（館内に設置されたゲートを通過するときなど）、そのイベント信号に連動してＣＰＵユニット２０からからの命令によって顔画像表示を変化させるようにしてもよい。
【００３８】
また、本実施形態のＩＣカード１では、ＣＰＵユニット２０がタイマ機能部２０ｄ及び電源スイッチ回路２０ｅを備えている。このため、ＩＣカード１が不正に外部に持ち出された場合であっても一定時間を経過すると電源が切れるので、揮発性メモリ部２０ｃに記憶されたカード着用者の個人データが容易に消去される。
【００３９】
また、電源が切れる際に、電源供給時にカード本体の色と同一色となって隠蔽されていた第３液晶表示装置１６の表示色が変化し、カード本体から浮き出るようにして期限切れシグナルが表示される。例えば、第３液晶表示装置１６としてノーマリホワイトモードの液晶を採用する場合は、ＩＣカード１を使用している間は常に電圧を印加して周りのカード本体の色（黒系）と一致させて隠蔽し、電源を切ったときに、カード本体の色と異なる色（例えば白や赤）の期限切れシグナルを表示させればよい。あるいは、ノーマリブラックモードの液晶を採用する場合は、使用中は常に電圧を印加して周りのカード本体の色（白系）と一致させて隠蔽し、電源を切ったときに、カード本体の色と異なる黒系の期限切れシグナルを表示させればよい。
【００４０】
なお、カード本体に電源スイッチを設ける場合は、ＩＣカード１が正常に使用されて回収される際に、タイマ機能によって電源が切れる前に電源スイッチを切るようにしてもよい。このとき同様に、個人データが消去されると共に、第３液晶表示装置１６から期限切れシグナルが表示される。
【００４１】
本実施形態のＩＣカード１の製造方法としては、配線が設けられたベースフィルム（ポリイミドやＰＥＴ）の表面側に前述したような第１〜第３液晶表示装置１２，１４，１６、ＣＰＵユニット２０、ドライバＩＣ１８ａ〜１８ｃ、ＲＦＩＤ用ＩＣ２４及び電源部２２などが実装され、裏面側にＲＦＩＤ用ＩＣ２４に接続されるアンテナ２６が設けられる。さらに、それらの段差が樹脂などで平坦化された後に、液晶表示装置１２，１４，１６が透明フィルムで被覆され、ベースフィルムの裏面側にアンテナを被覆する樹脂フィルムが形成される。
【００４２】
次に、前述したＩＣカード１を会社の入館証に適用した場合の運用方法について説明する。図４は本発明の実施形態のＩＣカードの運用方法を示すフローチャート、図５は本実施形態のＩＣカードを利用して発行された入館証を示す外観平面図、図６は本実施形態のＩＣカードと通信するリーダ／ライタ及びデータ処理システムを示す模式図である。
【００４３】
図４に示すように、まず、ステップＳ１において、被訪問者（訪問される側の会社の社員）は訪問者から事前に連絡を受け、訪問者の個人データを図６に示すデータ処理システム（ＰＣ）４０に予め入力しておく。入力データは、訪問者の氏名、会社名とその所属部署、訪問予定時刻、滞在予定時間、及び被訪問者の氏名及びその所属部署などである。また、滞在予定時間を考慮してＩＣカードの使用期限（時間設定）をデータ処理システム４０に入力する。さらに、訪問者が入室できる入室許可場所を指定してデータ処理システム４０に入力する。入室許可場所は被訪問者の権限の及ぶ範囲に限られる。
【００４４】
次いで、ステップＳ２において、訪問者が受付に来訪した際に、受付にてその訪問者の個人データがデータ処理システム４０に存在するかどうかを確認する。なお、事前連絡なしで来訪してくる訪問者の場合は、受付にてその訪問者から上記したような個人データや滞在予定時間などを聞き取り、データ処理システム４０に入力する。この場合の入室許可場所は受付の権限の及ぶ範囲に限られる。必要に応じて被訪問者に入室許可場所を指定してもらう。さらに、ＣＣＤカメラなどで訪問者の顔画像のデジタルデータをデータ処理システム４０に取り込む。
【００４５】
次いで、ステップＳ３において、前述した本実施形態のＩＣカード１を用意する。この時点では、このＩＣカード１は未登録のカードであり、ＣＰＵユニット２０の揮発性メモリ部２０ｃには個人データは格納されていない。そのＩＣカード１を図６に示すデータ処理システム４０に接続されたリーダ／ライタ４２（外部通信手段）に差し込み、ＩＣカード１の外部接続電極３０をリーダ／ライタ４２の端子に接触させる。
【００４６】
このとき、まず、非接触通信によって、ＲＦＩＤ用ＩＣ２４のメモリ部のデータをリーダ／ライタ４２が読み込み、個人データの書き込み開始を要求する信号（識別コード）をＩＣカード１からデータ処理システム４０に送る。この信号はデータ処理システム４０との間で一定のアルゴリズムで発生させたコードを使用することで安全性を高めることができる。そして、データ処理システム４０は、ＩＣカード１から送られてきた識別コードがデータ処理システム４０内のコードと合致するかどうか照合して書き込みＯＫかＮＯかを判定する。
【００４７】
書き込みＯＫとなった場合、データ処理システム４０からリーダ／ライタ４２を介して上記したような訪問者の顔画像を含む個人データや使用期限などの訪問データをＩＣカード１の揮発性メモリ部２０ｃに記憶させると共に、第１液晶表示装置１２から顔画像を表示させ、第２液晶表示装置１４から文字画像を表示させる。
【００４８】
このとき、ＩＣカード１への各種データの取り込みは、ＩＣカード１の外部接続電極３０をリーダ／ライタ４２の端子に接触させて行うことにより、速い処理速度で安定して通信を行うことができると共に、セキュリティ上も好ましい。なお、ＣＰＵユニット２０とＲＦＩＤ用ＩＣ２４とを関係づけることにより、非接触通信によってデータ処理システム４０の個人データを揮発性メモリ部２０ｃに取り込むことも可能である。
【００４９】
このようにして、図５に示すようなＩＣカード１ａ（入館証）が訪問者に発行される。図５に示すように、入館証として利用される１Ｃカード１ａでは、第１液晶表示装置１２から顔画像１２ａが表示され、第２液晶表示装置１４から訪問先の部署名１４ａ及び氏名１４ｂが表示されている。この時点では、期限切れシグナル表示用の第３液晶表示装置１６からは何も表示されておらず、使用期限に達したときに第３液晶表示装置１６から期限切れシグナルが表示される。第１〜第３液晶表示装置１２，１４，１６以外の表示（カード名１３、会社名１５、第２液晶表示装置１４のタイトル１７（図５の例では訪問先））は印刷などによってカード基板１に印字される。
【００５０】
次いで、ステップＳ４において、訪問者がそのＩＣカード１ａを着用して受付から入室許可場所に移動する。このとき、ＩＣカード１ａの非接触通信部であるＲＦＩＤ部（アンテナ２６＋ＲＦＩＤ用ＩＣ２４：図１）が機能し、館内に複数設置されたゲートとＲＦＩＤ部とが非接触で通信することにより、ゲートに接続されたデータ処理システム４０に訪問者の移動履歴が記憶された状態でその移動が監視される。つまり、訪問者の移動（入退室）をリアルタイムで監視することも可能であり、訪問者が帰った後に移動履歴を確認することも可能である。また、訪問者が入室許可場所以外に移動した場合もデータ処理システム４０でチェックすることができる。
【００５１】
またこのとき、ＩＣカード１ａの第１液晶表示装置１２から訪問者の顔画像が表示されているので、館内の第三者（会社の社員など）がカード着用者が本人であることを容易に確認することができる。しかも、本実施形態のＩＣカード１ａでは、前述したように、ＣＰＵユニット２０が各種のイベントを発生させるプログラムを内蔵しており、それを実行することによって時間経過につれて顔画像の表示を変化させることができる。例えば、一定時間で表示、非表示を繰り返すようにしてもよいし、顔画像の背景色が経時変化するようにしてもよい。このようなイベントを発生させることにより、館内の第三者がそのＩＣカード１ａが本物であることを容易に判定することができる。
【００５２】
従って、顔画像が表示された第１液晶表示装置１２に別の顔写真を巧妙に貼り付けて偽造された場合は、顔写真は経時変化しないので、館内の第三者はそのＩＣカードが偽造品であることを容易に判定することができる。
【００５３】
ＣＰＵユニット２０からのイベント発生は、ＲＦＩＤ部と独立して一定時間ごとに行ってもよい。あるいは、ＩＣカード１ａにトリガ機能をもたせることにより、ＲＦＩＤ部がゲートと通信するときに連動させてＣＰＵユニット２０からイベントを発生させるようにしてもよい。この場合、館内に複数設置されたゲートを通過する際に（入室許可場所を入退室するときなど）、第１液晶表示装置１２の顔画像表示が点滅したり、その背景色が変わったりする。顔画像表示を変化させるプログラムは、ＩＣカードの用途ごとに独自のプログラムとすることによりセキュリティをさらに向上させることができる。
【００５４】
次いで、ステップＳ５において、訪問者が帰る際にＩＣカード１ａを受付に返却することによってＩＣカード１ａが受付に回収される。受付では、訪問者がセキュリティ上問題のある移動がなかったかどうかをチェックする。そして、本実施形態のＩＣカード１ａでは、ＣＰＵユニット２０がタイマ機能部２０ｄを備え、そこに所定の使用期限が入力されているので、所定時間が経過すると電源が自動的に切れるようになっている。
【００５５】
これにより、第１、第２液晶表示装置１２，１４が非表示になると共に、ＣＰＵユニット２０の揮発性メモリ部２０ｃに記憶された個人データなどが自動的に消去される。このとき同時に、ＩＣカード１ａの第３液晶表示装置１６から期限切れシグナルが表示される。
【００５６】
従って、ＩＣカード１ａが不正に外部に持ち出された場合であっても、所定時間が経過すると第１、第２液晶表示装置１２，１４が非表示になると共に、個人データなどが自動的に消去される。しかも、ＩＣカード１ａに新たにデータを書き込むには専用の識別コードが必要であるので、専用のデータ処理システム以外では書き込みは困難である。これにより、ＩＣカード１ａが盗難されたり、拾得物となったとしても、第三者に不正使用されて悪用されることが防止される。
【００５７】
なお、ＩＣカード１ａの外側に電源スイッチを設ける場合は、電源スイッチを切った時点で個人データなどが消去され、電源スイッチを切り忘れた場合であっても個人データがＩＣカード１ａ内に残らないようになっている。
【００５８】
本発明のＩＣカードは、会社、病院、学校、又は公共施設などの入館証以外にも各種の用途に使用することができる。また、講演会場や展会場などにおいて、セキュリティ対策を行いながら各ホールでの入場者数（入退者数）をカウントして入場管理することなども容易になる。
【図面の簡単な説明】
【００５９】
【図１】図１は本発明の実施形態のＩＣカードの構成を示す概略図である。
【図２】図２は図１のＩＣカードの裏面側に設けられたアンテナの様子を示す概略図である。
【図３】図３は本発明の実施形態のＩＣカードに設けられたＣＰＵユニットの構成を示す概略図である。
【図４】図４は本発明の実施形態のＩＣカード（入館証）の運用方法を示すフローチャートである。
【図５】図５は本発明の実施形態の発行されたＩＣカード（入館証）の外観の様子を示す平面図である。
【図６】図６は本発明の実施形態のＩＣカードと通信するリーダ／ライタ及びデータ処理システムを示す模式図である。
【符号の説明】
【００６０】
１，１ａ…ＩＣカード、５ａ〜５ｇ…配線、６ａ，６ｂ…外部接続配線、１０…カード基板、１２…第１液晶表示装置、１４…第２液晶表示装置、１６…第３液晶表示装置、１８ａ〜１８ｃ…ドライバＩＣ、２０…ＣＰＵユニット、２０ａ…ＣＰＵ（演算制御部）２０ｂ…不揮発性メモリ部、２０ｃ…揮発性メモリ部、２０ｄ…タイマ機能部、２０ｅ…電源スイッチ回路、２２…電源部、２４…ＲＦＩＤ用ＩＣ、２６…アンテナ、３０…外部接続電極、３２…充電用電極、４０…データ処理システム、４２…リーダ／ライタ。
【図１】
0004783659.tif 000002
【図２】
0004783659.tif 000003
【図３】
0004783659.tif 000004
【図４】
0004783659.tif 000005
【図５】
0004783659.tif 000006
【図６】
0004783659.tif 000007